(57)【要約】【課題】  クレジットカードの入会申込中でも、カード申込者が購入商品のカード決済ができるようにする。【解決手段】  購入商品の通知およびカード申込がＰＣ１００で入力されると、ＷＥＢサーバ４００はデータベースに仮登録を行うと共に、審査サーバ３００で入会審査を行う。入会審査で、入会が不許可と判定されるとＷＥＢサーバ４００はデータベース上の仮登録を抹消する。【選択図】  図１
2005250604.tif 000002
【特許請求の範囲】
【請求項１】
商品を販売する店に第１のコンピュータシステムが設置され、クレジット会社に第２のコンピュータシステムが設置されており、前記第１のコンピュータシステムから購入商品情報およびクレジット番号を前記第２のコンピュータシステムに送信することにより、購入商品のクレジットカードによる決済を前記第２のコンピュータで行うクレジットカード決済方法において、
ａ）前記第１のコンピュータシステムからクレジットカードの入会の申込内容を示すカード申込情報および前記購入商品情報の入力を行い、
ｂ）前記第２のコンピュータシステムでは前記入会の申込に応じてカード申込者に対して割り当てるクレジットカード番号を決定して、前記第１のコンピュータシステムに通知し、
ｃ）前記第２のコンピュータシステムは、さらに、受け付けたカード申込情報および決定したクレジット番号を内部のデータベースに新規に登録することにより仮の会員登録を行い、さらに購入商品情報を前記データベースに記憶し、
ｄ）前記ｂ）およびｃ）の処理とは別個に前記第２のコンピュータシステムは、前記第１のコンピュータシステムから入力されたカード申込情報に基づいて、入会審査を行い、
前記入会審査により入会が不許可となった場合には、前記データベースに対して前記ｃ）の処理で記憶されたカード申込情報を消去することにより会員の抹消を行う
ことを特徴とするクレジットカード決済方法。
【請求項２】
前記第２のコンピュータシステムは複数のサーバを有し、前記ａ）〜ｄ）の処理を当該複数のサーバで実行することを特徴とする請求項１に記載のクレジットカード決済方法。
【請求項３】
商品を販売する店に第１のコンピュータシステムが設置され、クレジット会社に第２のコンピュータシステムが設置されており、前記第１のコンピュータシステムから購入商品情報およびクレジット番号を前記第２のコンピュータシステムに送信することにより、購入商品のクレジットカードによる決済を前記第２のコンピュータで行うクレジットカード決済システムで、前記第２のコンピュータとして使用されるコンピュータシステムにおいて、
ａ）前記第１のコンピュータシステムからクレジットカードの入会の申込内容を示すカード申込情報および前記購入商品情報の入力を受け付ける手段と、
ｂ）前記第２のコンピュータシステムでは前記入会の申込に応じてカード申込者に対して割り当てるクレジットカード番号を決定して、前記第１のコンピュータシステムに通知する手段と、
ｃ）前記第２のコンピュータシステムは、さらに、受け付けたカード申込情報および決定したクレジット番号を内部のデータベースに新規に登録することにより仮の会員登録を行い、さらに購入商品情報を前記データベースに記憶する手段と、
ｄ）前記ｂ）およびｃ）の処理とは別個に前記第１のコンピュータシステムから受け付けたカード申込情報に基づいて、入会審査を行う手段と、
前記入会審査により入会が不許可となった場合には、前記データベースに対して前記ｃ）の処理で記憶されたカード申込情報を消去することにより登録会員の抹消を行う
ことを特徴とするコンピュータシステム。
【請求項４】
前記仮の会員登録の際に前記データベースには前記カード申込情報およびクレジット番号の新規登録と共に、カード申込者のクレジットカードの保有無しを示すカード発行フラグが登録され、前記入会審査により入会が許可になった場合には、前記カード発行フラグがカード有りに設定されることを特徴とする請求項３に記載のコンピュータシステム。
【発明の詳細な説明】
【技術分野】
【０００１】
本発明は、オンラインでクレジットカードにより決済を行うためのクレジットカード決済方法に関し、より詳しくは、商品購入と同時にクレジットカードの入会申込を行うことができる入会申込機能付クレジットカード決済方法およびそのためのコンピュータシステムに関する。
【背景技術】
【０００２】
従来、インターネットなど、オンラインで、商品を購入し、その代金決済をクレジットカードで行う代金決済方法が知られている（たとえば、特許文献１参照）。
【０００３】
この決済方法は、商品販売業者に設置されたパソコン上で、商品購入者のクレジット番号および正規の商品購入者であることを示すための姓名、生年月日等（これらの情報を認証情報と総称する）および購入商品に関連する情報（たとえば、商品名、販売者の名前、商品価格等、以下、これらを購入商品情報と総称する）の情報を入力する。
【０００４】
クレジット会社のコンピュータシステムは、クレジット番号、認証情報および購入商品情報を受け取ると、クレジット番号および認証情報を使用して、購入者が正規のクレジットカードであることを認証し、その後に、購入商品情報をコンピュータシステム内のデータベースの商品購入者の商品購入履歴に追加登録する。登録された購入商品情報の示す代金が、あらかじめ定められた決済日に商品購入者の銀行口座から引き落とされる。
【０００５】
【特許文献１】特開２００２−３６６８６７号公報
【発明の開示】
【発明が解決しようとする課題】
【０００６】
しかしながら、従来のクレジットカードの決済方法では、商品購入者がクレジットカードを保有していることが前提条件となっているので、クレジットカードを保有していないものは上記決済方法を利用することができない。また、商品購入者がクレジットカード会社に入会申込を行うとしても、入会審査に若干の時間の要するので、商品購入と同時にクレジットカードを入手することはできない。
【０００７】
そこで、本発明の目的は、上述の点に鑑みて、クレジットカードを保有していないものでも、商品購入の代金決済とクレジットカードの入会申込を同時に行うことができる入会申込機能付クレジットカード決済方法およびそのためのコンピュータシステムを提供することにある。
【課題を解決するための手段】
【０００８】
このような目的を達成するために、請求項１の発明は、商品を販売する店に第１のコンピュータシステムが設置され、クレジット会社に第２のコンピュータシステムが設置されており、前記第１のコンピュータシステムから購入商品情報およびクレジット番号を前記第２のコンピュータシステムに送信することにより、購入商品のクレジットカードによる決済を前記第２のコンピュータで行うクレジットカード決済方法において、（従来技術の説明）
ａ）前記第１のコンピュータシステムからクレジットカードの入会の申込内容を示すカード申込情報および前記購入商品情報の入力を行い、（５０２）
ｂ）前記第２のコンピュータシステムでは前記入会の申込に応じてカード申込者に対して割り当てるクレジットカード番号を決定して、前記第１のコンピュータシステムに通知し、（５０５）
ｃ）前記第２のコンピュータシステムは、さらに、受け付けたカード申込情報および決定したクレジット番号を内部のデータベースに新規に登録することにより仮の会員登録を行い、さらに購入商品情報を前記データベースに記憶し、（５０５）
ｄ）前記ｂ）およびｃ）の処理とは別個に前記第２のコンピュータシステムは、前記第１のコンピュータシステムから入力されたカード申込情報に基づいて、入会審査を行い、（５０４）
前記入会審査により入会が不許可となった場合には、前記データベースに対して前記ｃ）の処理で記憶されたカード申込情報を消去することにより会員の抹消を行う（５０５）
ことを特徴とする。
【０００９】
請求項２の発明は、前記第２のコンピュータシステムは複数のサーバ（３００，４００）を有し、前記ａ）〜ｄ）の処理を当該複数のサーバで実行することを特徴とする。
【００１０】
請求項３の発明は、商品を販売する店に第１のコンピュータシステムが設置され、クレジット会社に第２のコンピュータシステムが設置されており、前記第１のコンピュータシステムから購入商品情報およびクレジット番号を前記第２のコンピュータシステムに送信することにより、購入商品のクレジットカードによる決済を前記第２のコンピュータで行うクレジットカード決済システムで、前記第２のコンピュータとして使用されるコンピュータシステムにおいて、（従来技術の説明）
ａ）前記第１のコンピュータシステムからクレジットカードの入会の申込内容を示すカード申込情報および前記購入商品情報の入力を受け付ける手段と、（４００、Ｓ１００）
ｂ）前記第２のコンピュータシステムでは前記入会の申込に応じてカード申込者に対して割り当てるクレジットカード番号を決定して、前記第１のコンピュータシステムに通知する手段と、（４００、Ｓ１２５）
ｃ）前記第２のコンピュータシステムは、さらに、受け付けたカード申込情報および決定したクレジット番号を内部のデータベースに新規に登録することにより仮の会員登録を行い、さらに購入商品情報を前記データベースに記憶する手段と、（４００、Ｓ１２５）
ｄ）前記ｂ）およびｃ）の処理とは別個に前記第１のコンピュータシステムから受け付けたカード申込情報に基づいて、入会審査を行う手段と、（３００）
前記入会審査により入会が不許可となった場合には、前記データベースに対して前記ｃ）の処理で記憶されたカード申込情報を消去することにより登録会員の抹消を行う（４００、Ｓ１１５）
ことを特徴とする。
【００１１】
請求項４の発明は、前記仮の会員登録の際に前記データベースには前記カード申込情報およびクレジット番号の新規登録と共に、カード申込者のクレジットカードの保有無しを示すカード発行フラグ（１０２０）が登録され（Ｓ１２５）、前記入会審査により入会が許可になった場合には、前記カード発行フラグがカード有りに設定される（Ｓ１１５）ことを特徴とする。
【００１２】
上記（）部は本発明を理解するために本発明の構成要件に対する実施形態の対応箇所を示すが、これに本発明が限定されることはない。後述するように、本発明には種々の実施形態が存在する。
【発明の効果】
【００１３】
本発明によれば、カード申込が店に設置された第１のコンピュータシステムから行われると、カード会社に設置された第２のコンピュータシステムでは仮の会員登録を行うと共に、クレジットカード番号を第１のコンピュータに通知することによりカード申込者に対してクレジット番号を引き渡す。これによりカード申込者は入会審査が終了するまでの間、購入商品についてのクレジットカードにより決済が可能となる。また、クレジット会社側では、入会申込が不許可となったカード申込者に関する申込情報をデータベースから消去することに会員登録を抹消するので、与えたクレジット番号を使用したカード申込者による不正決済が不可能となる。
【００１４】
また、仮登録の会員決済と審査により入会が許可された会員とはカード発行フラグにより区別することが可能となる。ａ）〜ｄ）の処理を複数のサーバで実行することにより、個々のサーバに対する処理負担が軽減し、多数のユーザからのクレジットカードの入会申込を受け付けることができる。
【発明を実施するための最良の形態】
【００１５】
以下、図面を参照して本発明の実施形態を詳細に説明する。  
図１は本発明実施形態のシステム構成および情報の流れを示す。図１において、１００はパーソナルコンピュータ（ＰＣと略記する）であり、商品販売業者の店などに設置される。ＰＣ１００にはホームページを閲覧するための、通常、ブラウザと呼ばれるプログラムが搭載されている。
【００１６】
２００はインターネットと呼ばれる専用電話回線である。インターネット２００とＰＣ１００とは直接、あるいは、プロバイダと呼ばれるインターネット接続業者の通信サーバを介して接続される。
【００１７】
３００は、商品販売業者がＰＣ１００から、購入商品情報とクレジットカードの入会申込情報（図１のカード申込情報、以下カード申込情報と略記する）とを入力したとき、カード（入会）申込情報に基づき入会の可否を審査する審査サーバである。審査サーバ３００は、従来とほぼ同じものを使用することができるが、カード申込情報をインターネットを介して入力し、従来は、審査サーバ３００のキーボードから入力している点が異なる。ちなみに、従来では、上記カード申込情報を書面で受け取ったクレジット会社の担当者が審査サーバ３００のキーボードを使用してカード申込情報を入力する。入力されたカード申込情報が、あらかじめ定められた入会条件に、合致するかの判定（いわゆる入会審査）を審査サーバ３００が自動的に行う。
【００１８】
本実施形態では、審査サーバ３００は入会審査の結果、すなわち、入会許可／不許可の判定結果をインターネット２００を介して、後述の、ＷＥＢサーバ４００に送信する。
【００１９】
４００はＷＥＢサーバであり、購入商品のクレジットカードによる代金決済のための購入商品情報をＰＣ１００で表示させるためのＷＥＢページおよび商品購入と同時にクレジットカードの入会の申込のためのカード申込情報をＰＣ１００で入力するためのＷＥＢページを内部に記憶している。
【００２０】
ＷＥＢサーバ４００には、ＣＧＩ（Ｃｏｍｍｏｎ  Ｇａｔｗａｙ  Ｉｎｔｅｒｆａｃｅ）と呼ばれる情報処理用プログラムが搭載されている。情報処理用プログラムを使用した、本発明に係わる代金決済方法については図４を使用して詳しく説明する。ＷＥＢサーバ４００には市販のサーバ用コンピュータシステムを使用することができるので、ハードウェア構成については詳細な説明を要しないであろう。
【００２１】
４１０はクレジットカード決済に係わる情報を保存しておくためのデータベースを搭載したデータベース用記憶装置である。
【００２２】
データベース用記憶装置４１０上に構築されたデータベースのデータ構成を図２に示す。  
図２に示す情報は、クレジットカード保有者ごとに有する情報である。
【００２３】
１０００は個人情報ファイルであり、カード（入会）申込時に登録されるクレジットカード保有者の個人情報は、たとえば、姓名、年齢、生年月日、代金引き落としのための銀行口座番号、住所およびクレジットカード保有者に割り当てられたクレジット番号等の情報を含んでいる。
【００２４】
１０１０は購入履歴であり、クレジットカード保有者がこれまでに、クレジットカードの決済方法で購入した購入商品情報を累積的に蓄積する情報ファイルである。
【００２５】
１０２０は本発明に係わるカード発行フラグであり、クレジットカードの保有（発行）の有無を示すフラグ情報である。商品購入者が商品購入と同時にカード（入会）申込を行ったときに、カード発行フラグはカード無しに設定され、審査サーバ３００から入会許可の通知をＷＥＢサーバ４００が受けたときに、カード発行フラグ１０２０はカード有りに設定される。  
１０３０はその他情報のための情報ファイルであり、従来と同様とすることができる。
【００２６】
以上のシステム構成で実施されるクレジットカードによる購入商品の代金決済および同時のクレジットカードの入会申込のための情報処理内容を図１および図４を参照しながら説明する。
【００２７】
図４はＷＥＢサーバ４００の情報処理用プログラムが実行する情報内容を示す。  
商品購入者が、商品購入とカード（入会）申込を同時に行うことを希望した場合、商品販売業者は、ＰＣ１００のブラウザを使用して、ＷＥＢサーバ４００内の購入商品情報の入力用ＷＥＢページを呼び出してＰＣ１００の表示画面上に表示させる。商品購入者（または商品購入者に代わり、代行で情報入力を行う商品販売業者）は購入商品の商品名、商品販売業者の店の名前（均等の情報として店の識別番号）、商品価格、クレジットカードでの支払方法（１回払い、あるいは分割支払いの回数等）をマウスあるいはキーボードを使用して入力する。
【００２８】
購入商品情報入力用ページは、従来からよく知られているので、以上の説明にて、当業者であれば、作成することができるであろう。
【００２９】
続いて、商品購入者は、ＰＣ１００のブラウザを使用して、ＷＥＢサーバ４００内のカード入会申し込み用のＷＥＢページを呼び出してＰＣ１００の表示画面上に、たとえば、図３に示すように表示させる。
【００３０】
商品購入者は、氏名、年齢、住所、その他、カード入会のために必要な情報（カード申込情報）をマウス、キーボードを使用して入力欄に入力する。不図示の送信ボタンを商品購入者がマウスで操作すると、これまでに入力された購入商品情報およびカード申込情報がＷＥＢサーバ４００に送られる。また、上記入力された情報の中のカード申込情報が審査サーバ３００に送られる。
【００３１】
審査サーバ３００ではカード申込情報を受け取ると、入会審査を従来と同様にして実行し、その審査結果（入会許可／不許可）を示すカード発行通知をＷＥＢサーバ４００に通知する（図１参照）。
【００３２】
一方、すでにクレジットカードを保有している商品購入者は、ＰＣ１００のブラウザを使用して、ＷＥＢサーバ４００内の購入商品情報の入力用ＷＥＢページを呼び出してＰＣ１００の表示画面上に表示させる。商品購入者（または代行の商品販売業者）は購入商品の商品名、商品販売業者の店の名前（均等の情報として店の識別番号）、商品価格、クレジットカードでの支払方法（１回払い、あるいは分割支払いの回数等）をマウスあるいはキーボードを使用して入力する。
【００３３】
最後に商品購入者は不図示の送信ボタンをマウスで操作すると入力された購入商品情報がＷＥＢサーバ４００に送られる。
【００３４】
ＷＥＢサーバ４００はＰＣ１００および審査サーバ３００から上述の情報を受け取るごとに図４の処理プログラムを実行する。
【００３５】
ＰＣ１００が送ることができる情報は、クレジットカード保有の商品購入者が入力する購入商品情報と、カード（入会）申込を行う商品購入者が入力する購入商品情報およびカード申込情報の２種類の情報である。このため、ＰＣ１００は受け取った情報が審査サーバ３００からのカード発行通知かＰＣ１００からの上記２種類の情報のいずれであるかを識別する（ステップＳ１００）。識別の方法の一例としては、受け取った情報の書式を調べればよいし、また、送信元のＰＣ１００および審査サーバ３００で、送信する情報の識別番号を付加するようにしてもよい。
【００３６】
入力情報が審査サーバ３００からのカード発行通知であることをステップＳ１１０の判定処理で確認すると、手順はステップＳ１１５に進み、ここで、カード発行通知に応じた情報処理をＷＥＢサーバ４００で行う。具体的には、カード発行通知の示す審査結果が、入会許可を示す場合には、データベース用記憶装置４１０内のデータベースに記憶されたカード（入会）申込者のデータの中のカード発行フラグをカード有りに設定することにより正式会員として登録する。
【００３７】
一方、カード発行通知が入会不許可を示す場合には、ＷＥＢサーバ４００は上記データベース中のカード（入会）申込者のデータ全体を消去する。これにより仮登録の会員の抹消が行われたことになる。また、カード（入会）申込者に対して、入会が認められなかった旨を電子メールする。
【００３８】
なお、カード（入会）申込者は商品の購入を行っているので、ＷＥＢサーバ４００は上記消去処理の前に、カード（入会）申込者のデータを、データベース用記憶装置内の一時記憶領域に移す。一時記憶領域に記憶されたデータに基づいて、カード（入会）申込者の代金決済のための処理が行われ、代金決済が終了すると、一時記憶領域のデータは消去される。
【００３９】
ＷＥＢサーバ４００が外部（ＰＣ１００および審査サーバ３００）から入力した入力情報がＰＣ１００からのであって、かつ、クレジットカードの申込（カード（入会）申込）のためのカード（入会）申込情報と購入商品情報を含んでいることがステップＳ１２０の判定処理で検出されると、手順はステップＳ１２５に進む。
【００４０】
ＷＥＢサーバ３００はデータベース用記憶装置４１０内のデータベースにカード（入会）申込者の個人情報を仮登録する。具体的には、ＷＥＢサーバ４００は図２に示す情報を記憶するための新規記憶領域を作成し、カード（入会）申込情報の示す個人情報を個人情報ファイル１０００に、購入商品情報を購入履歴ファイル１０１０に格納する。また、カード発行フラグ１０２０はカード無しに初期設定する。さらにカード番号もＷＥＢサーバ４００により自動発発行されて、データベースに書き込まれる。さらに、発行されたカード番号は、ＷＥＢサーバ４００からＰＣ１００に送られて、その画面に表示される（ステップＳ１２５）。
【００４１】
上述したようにカード（入会）申込者の個人情報をデータベースに格納することで、カード（入会）申込者は、審査サーバ３００の審査結果が到着するまでは、正規の会員と同じ扱いを受けることができる。また、正規の会員であるか、カード（入会）申込者の区別はカード発行フラグ１０２０がカード保有有り（正規会員）かカード保有無し（入会申込者）かにより識別することができる。
【００４２】
ＷＥＢサーバ４００への入力情報が購入商品情報だけの場合は、このことが判定処理Ｓ１３０で検出され、手順はステップＳ１３５に進む。ここで、ＷＥＢサーバ４００は、購入商品情報を、データベース記憶装置４１０のデータベース上の商品購入者の購入履歴ファイル１０１０に書き込む。なお、書き込みに先立ってＰＣ１００から受け取った購入商品情報の中に含まれるクレジット番号について、データベース上のクレジット番号と照合し、会員登録の有無の照合をＷＥＢサーバ４００により行う。会員登録のクレジット番号であることが認証されたときに、上記データベースへの購入商品情報の書き込みが許可される。
【００４３】
ステップＳ１４０のその他の処理では、従来と同様の処理、たとえば、商品販売業者のＰＣ１００に対して商品の売買に対する承認などを与えたり、あるいは、上記商品購入との商品売買契約などのオーソライゼーションのための処理を実行する。
【００４４】
以上が図１に示すシステムの動作である。このようなシステムを使用するビジネスモデルの一例を図５および図６に示す。
【００４５】
図５はカード申込時の処理内容を示し、図６はカード申込中の処理内容を示す。  
クレジットカードを保有していない商品購入者は商品販売業者の店舗の商品陳列棚や、カタログで商品を選択し、購入する商品を決定する（５００→５０１）。
【００４６】
次に、商品購入者は店員に商品の購入およびカードの申込希望を伝える。店員は店に設置されたＰＣ１００を使用して、カード申込用のＷＥＢページ（ＷＥＢサーバ４００に格納）をＰＣ１００の表示画面にＥＣモールとして表示させる。
【００４７】
この画面では、カード申込に関する案内が表示されると共に、図３に示すようなカード（入会）申込に必要な情報を入力するためのＷＥＢページが表示される（５０２）。
【００４８】
商品購入者あるいは店員が、カード申込に必要な情報（カード申込情報）と購入商品情報をＰＣ１００に対して入力すると、入力された２つの情報がカード会社に設置されたＷＥＢサーバ４００に送られる（５０３→５０５）。また、カード申込情報は審査サーバ３００にもＰＣ１００から送られる（５０３→５０４）。
【００４９】
審査サーバ３００は、受け付けたカード申込に対して審査を行い、その審査結果を示すカード発行通知を即時〜数日でＷＥＢサーバ４００に送信する（５０４→５０５（図６では６０４）。
【００５０】
ＷＥＢサーバ４００は、受け付けたカード申込情報および購入商品情報をデータベースに新規登録することで決済カードをカード仮登録とともに、決済処理を実行する。このときに、カード番号もＷＥＢサーバ４００により自動発発行されて、データベースに書き込まれる。発行されたカード番号は、ＰＣ１００に送られて、その画面に表示される。（５０５）。
【００５１】
ＷＥＢサーバ４００からは商品売買についての承認も送られる。ＰＣ１００では、カード（入会）申込者のカード番号と商品売買、および先に入力された購入商品情報に基づいて、売り上げ処理を行う（５０６）。具体的には、商品購入者が購入した商品についての購入商品情報を集計する。集計された購入商品情報は、ＰＣ１００からＷＥＢサーバ４００に送られ、オーソライゼーションが行われる。オーソライゼーションの結果はＷＥＢサーバ４００からＰＣ１００に通知される（５０７→５０６）。
【００５２】
オーソライゼーションにより売り上げが承認されると、商品販売業者は、購入商品情報にもとづいて、商品の発送を行う（５０８）。
【００５３】
次に、カード（入会）申込中の処理を図６を参照して説明する。図５と同様の処理については同様の符号を付しており、重複的な説明は省略する。
【００５４】
カード（入会）申込中の商品購入者は商品を選択し、決定すると（６０１→６０２）、店員にクレジットカードでの決済を申し出る。店員はＰＣ１００に、商品購入情報を入力するためのＷＥＢページをＷＥＢサーバ４００から呼び出して、ＰＣ１００の表示画面に案内表示させる（６０３）。店員または商品購入者はＰＣ１００に対して購入したい商品についての購入商品情報（先に与えられたクレジット番号を含む）を入力する（６０３）。入力された購入商品情報がＰＣ１００からＷＥＢサーバ４００に送られる（６０３→６０４）。
【００５５】
ＷＥＢサーバ４００は購入商品情報を、データベース上の商品購入者の購入履歴ファイル１０１０に追加登録する。また、審査サーバ３００から、カード発行通知が届いている場合には、カード発行通知が示す入会許可／不許可のための処理（図４についての説明参照）を行う。
【００５６】
このような処理を行うことにより、カード申込と同時に商品の購入も行えることになる。また、クレジットカードをすでに保有するものについても、商品購入が可能となる。
【００５７】
上述の実施形態の他に次の形態を実施することができる。
１）上述の実施形態ではＷＥＢページを使用して購入商品情報やクレジットカードの入会のためのカード（入会）申込情報をＰＣ１００から入力するようにしているが、ＷＥＢページ以外にも専用のプログラムを使用してもよいこともちろんである。
２）ＷＥＢサーバ４００と審査サーバ３００の機能を１つのコンピュータシステムで実行してもよいし、さらに、多数のコンピュータを使用して分散処理してもよい。
３）店に設置するコンピュータとしてはパーソナルコンピュータやその他、情報処理能力とＷＥＢサーバ４００等との通信機能を有する種々のコンピュータを使用することができる。
４）上述の実施形態では、カード申込のための個人情報をＰＣ１００のキーボードから入力しているが、ＰＣ１００に同じ個人情報が顧客情報（会員情報とも呼ばれる）として保存されている場合には、カード申込者の同意を得て、保存の顧客情報をカード申込のための情報として、ＰＣ１００から送信するようにしてもよい。
５）上述の実施形態では、カード申込のための個人情報をＰＣ１００に対して入力するようにしているが、カードの申し込みだけをＰＣ１００に対して入力し、個人情報をカード会社側のＷＥＢサーバ４００やその他、たとえば、ユーザ個人のパソコンのキーボードから入力するようにしてもよい。さらに、ＦＡＸや電子メールにて個人情報をカード会社に送信してもよい。
６）上述の実施形態では店舗とカード会社の２者のモデルを説明したが、仮想店舗（サイバーモールと呼ばれる）を主催する仲介業者（モール事業者と呼ばれる）を加えた３社のモデルとすることができる。この場合には下記の形態に応じてサイバーモール主催者はカード会社あるいは店舗として解すべきである。
（Ａ）カード（入会）申込画面を表示するＨＴＭＬ文書をサイバーモール主催者のＷＥＢサーバに搭載する。
（Ｂ）商品を選択するための画面を表示するＨＴＭＬ文書をサイバーモール主催者のＷＥＢサーバに搭載する。この場合には、商品を選択するための画面と、カードの（入会）申し込みを行う画面（ＷＥＢサーバ４００（カード会社側に設置）に搭載）とをリンクさせることになる。これに関連するが、オンラインの商品販売を行う場合には、ユーザが購入可能な商品を選択する画面を表示させるためのＨＴＭＬ文書は店舗のパソコンや上記サイバーモール主催者のＷＥＢサーバやその他のＷＥＢサーバに搭載すればよく、商品の販売形態に応じて適宜、定めればよい。
【図面の簡単な説明】
【００５８】
【図１】本発明実施形態のシステム構成および情報の流れを示すブロック図である。
【図２】カード（入会）申込情報の入力画面を示す説明図である。
【図３】クレジットカード会社のコンピュータシステムに設置されたデータベースのデータ構成を示す説明図である。
【図４】ＷＥＢサーバ４００の処理手順を示すフローチャートである。
【図５】カード申込および商品の売買の手順を示す説明図である。
【図６】カード申込中の商品の売買の手順を示す説明図である。
【符号の説明】
【００５９】
１００  ＰＣ
２００  インターネット
３００  審査サーバ  
４００  ＷＥＢサーバ
４１０  データベース用記憶装置
【図１】
2005250604.tif 000003
【図２】
2005250604.tif 000004
【図３】
2005250604.tif 000005
【図４】
2005250604.tif 000006
【図５】
2005250604.tif 000007
【図６】
2005250604.tif 000008